(57)【要約】【課題】  ユニットバスの床パンに固定される貫通金具において、床パンの上部から下部への漏水を確実に防止することのできる貫通金具を提供する。【解決手段】  ユニットバス１の床パン２に穿設された貫通孔２ａに装着され、床下から床上に立ち上がる通水管５を支持する貫通金具１０において、貫通金具１０は、貫通孔２ａに挿通され挿通孔１８が貫通した小径部１２と小径部１２より大径で通孔１７が穿設された大径部１３とが形成された取付部材１１と、通孔１７に挿通し床パン２に結合される止め具２１と、取付部材１１に対し結合されるナット５１とを備え、大径部１３と床パン２との間には、小孔３２が穿設された第１パッキン３１が装着され、取付部材１１とナット５１との間には取付部材１１と通水管５との間で取付部材１１を上部から覆う第２パッキン４１が装着されることで、床パン２の上部で外部の水が止め具２１に付着しないようにした。【選択図】  図２
2006144289.tif 000002
【特許請求の範囲】
【請求項１】
ユニットバスの床パンに穿設された貫通孔に装着され、この貫通孔の床下から床上に立ち上がる水用または湯用の通水管を支持する貫通金具において、貫通金具は、前記貫通孔に挿通され前記通水管が挿通する挿通孔が上下方向に貫通した小径部と小径部より大径で上下方向に貫通する通孔が穿設された大径部とが形成された取付部材と、この取付部材の通孔に挿通し床パンに結合される止め具と、取付部材に対し上部から結合されるナットとを備え、取付部材の大径部と床パンとの間には、止め具が上下に貫通する小孔が穿設された第１パッキンが装着され、前記取付部材とナットとの間には取付部材と通水管との間で取付部材を上部から覆う第２パッキンが装着されることで、床パンの上部で外部の水が止め具に付着しないようにしたことを特徴とする貫通金具。
【発明の詳細な説明】
【技術分野】
【０００１】
この発明は、ユニットバス等の床パンにおいて、給水管，給湯管を上下方向に貫通させる貫通金具に関するものである。
【背景技術】
【０００２】
従来、ユニットバスの床パンには水用または湯用の通水管を貫通させるための貫通孔が穿設されており、貫通孔には通水管が振動しないように固定するための貫通金具が装着されている。このような貫通金具として公知のものに特許文献１がある。この特許文献１では、貫通金具は、ユニットバスの床パンの貫通孔から立ち上がった通水管の廻りの隙間を、止水部材本体部の先端内周面により覆うもので、止水部材本体部の基端に形成された座板部のリブと突起との間の環状部分にシーリング材を塗布した後、貫通孔に貫通させて垂直にした通水管を止水部材本体部に差し込む。そして、座板部を床パンの上面に密着させ、ビスを座板部にねじ込むことにより、貫通金具を床パンに固定したものである。
【０００３】
【特許文献１】特開２００１−３３６１８５号公報
【０００４】
上記の場合、貫通金具はビスにより床パンに固定されているが、座板部にねじ込まれたビスは床パンの上部でむき出しの状態である。そのため、貫通金具の周囲で漏水が発生した際には、水は通水管及び貫通金具を伝って降下し、ビスに付着してしまう。そして、水栓を使用すると湯水の吐水，止水時に一時的に圧力が急増しウォーターハンマー現象が発生して通水管とともに貫通部材は激しく振動するため、ビスとシーリング材との間の隙間が広がり、この隙間から水が床パンの下部へ浸入してしまう。一般に床パンの下部は目視することが無いため、床パンの下部が水浸しになっていても発見することができず、拡大損害となるおそれがあった。
【発明の開示】
【発明が解決しようとする課題】
【０００５】
この発明は、このような従来の技術に存在する問題点に着目してなされたものであり、その目的は、ユニットバスの床パンに固定される貫通金具において、床パンの上部から下部への漏水を確実に防止することのできる貫通金具を提供することである。
【課題を解決するための手段】
【０００６】
上記目的を達成するため本発明では、ユニットバスの床パンに穿設された貫通孔に装着され、この貫通孔の床下から床上に立ち上がる水用または湯用の通水管を支持する貫通金具において、貫通金具は、前記貫通孔に挿通され前記通水管が挿通する挿通孔が上下方向に貫通した小径部と小径部より大径で上下方向に貫通する通孔が穿設された大径部とが形成された取付部材と、この取付部材の通孔に挿通し床パンに固定される止め具と、取付部材に対し上部から装着されるナットとを備え、取付部材の大径部と床パンとの間には止め具が上下に貫通する小孔が穿設された第１パッキンが装着され、前記取付部材とナットとの間には取付部材と通水管との間で取付部材を上部から覆う第２パッキンが装着されることで、床パンの上部で外部の水が止め具に付着しないようにしたものである。
【発明の効果】
【０００７】
本発明の貫通金具では、床パンに固定するための止め具を覆うようにしてパッキンを装着したので、漏水によって通水管を伝って降下した水は止め具に伝わることがなく、床パンの上部から下部への漏水を確実に防止することができる。
【０００８】
以下、本発明の実施例を図に基づいて詳細に説明する。
【実施例１】
【０００９】
図１は本発明の貫通金具１０がユニットバス１の床パン２へ装着された状態を示すものである。床パン２はユニットバス１の底面を構成するものであり、ユニットバス１に装着された水栓３に接続されている給水用または給湯用の配管４と上下に向かい合う位置に、貫通孔２ａが穿設されており、この貫通孔２ａ内に水または湯を前記配管４へ供給するための通水管５が、上下方向に貫通する状態で挿通される。
【００１０】
前記通水管５は水または湯を水栓３へ供給するためのもので、容易に屈曲できる合成樹脂製のポリブテン管やポリエチレン管等で形成され、一端は床パン２の下部に配置され、他端は床パン２の上部で配管４に接続されるものである。
【００１１】
図２および図３に示すように、前記貫通金具１０は床パン２に対し上部から固定される取付部材１１と、この取付部材１１を床パン２に固定するための止め具２１と、取付部材１１と床パン２との間に配置される第１パッキン３１と、取付部材１１の上部に装着される第２パッキン４１と、第２パッキン４１を取付部材１１に固定するためのナット５１とを備えている。
【００１２】
前記取付部材１１は大小異なる直径の円柱を組合わせた形状で、床パン２の貫通孔２ａよりやや小径の小径部１２と、貫通孔２ａより大径で外周に雄ねじ部１４が形成された大径部１３とを備えており、中心には上下に貫通した挿通孔１８が形成されている。また、取付部材１１は大径部１３の上面に一部が窪んだ環状の凹部１５が形成されており、この凹部１５には第２パッキン４１が装着される。さらに、大径部１３の外周縁には複数個（本実施例では４個）の切欠部１６が形成され、この切欠部１６には止め具２１が挿通可能な通孔１７が形成されている。そして、この取付部材１１は床パン２の貫通孔２ａ周縁に上部から第１パッキン３１を配置した状態で、第１パッキン３１の上面に大径部１３の底面を重ね合わせ、止め具２１を通孔１７に挿通させて床パン２に対しねじ込むことで、取付部材１１は床パン２に固定される。
【００１３】
前記止め具２１は取付部材１１を床パン２へ固定するためのビスであり、取付部材１１の通孔１７、第１パッキン３１の小孔３２を挿通する軸部２１ａと、軸部２１ａの上部先端に形成された頭部２１ｂとを備え、その長さは取付部材１１の高さと略同一である。
【００１４】
前記第１パッキン３１は薄板状のリング形で、例えばゴムなどの弾性材からなり、その周面には前記通孔１７と同位置となるように小孔３２が上下に貫通して形成されている。この第１パッキン３１は取付部材１１の大径部１３と床パン２との間に配置され、漏水等により配管５を伝って床パン２に達した水が、床パン２の下部に伝達することを防止するものである。
【００１５】
前記第２パッキン４１は一部に切欠部４２が形成された円盤形で、例えばゴムなどの弾性材からなり、中央には通水管５が挿通できる内径の縦孔４３が穿設されている。この第２パッキン４１は、通水管５が取付部材１１に挿通された状態で通水管５に密着するとともに取付部材１１の凹部１５に装着され、ナット５１により取付部材１１に固定されるものであり、その上面はナット５１の上面より上方に露出している。
【００１６】
前記ナット５１は取付部材１１より大径の略円筒形状で、内周面に雌ねじ部５２が形成されており、取付部材１１の雄ねじ部１４に螺着することで、第２パッキン４１を取付部材１１の凹部１５に固定するものである。
【００１７】
前記貫通金具１０をユニットバス１の床パン２に固定するには、まず、取付部材１１の通孔１７と第１パッキン３１の小孔３２とが一致するように、第１パッキン３１を大径部１３に取り付ける。その後、取付部材１１の小径部１２を床パン２の貫通孔２ａに挿通させるとともに、大径部１３の底面と第１パッキン３１とを密着させる。そして、取付部材１１の通孔１７に止め具２１を挿通させて床パン２に対して結合することで、取付部材１１を床パン２へ固定する。
【００１８】
次に、通水管５の外周面に第２パッキン４１を外嵌させ、この第２パッキン４１を取付部材１１の凹部１５に装着する。その後、ナット５１を配管５の端部より挿入し、ナット５１の雌ねじ部５２を取付部材１１の雄ねじ部１４に螺着すると、図２に示すように、取付部材１１と第２パッキン４１，第２パッキン４１と通水管５，第２パッキン４１とナット５１のそれぞれが密着した状態で固定され、貫通金具１０の取り付けが完了する。このとき、第２パッキン４１の上面はナット５１の上面より上方に位置しており、露出した状態となっている。
【００１９】
このように本発明の貫通金具１０では、図２に示すように、取付部材１１の大径部１３と床パン２との間には第１パッキン３１が装着され、取付部材１１とナット５１との間には第２パッキン４１が装着されている。従って、水栓３、または水栓３と配管４との接続部等、通水管５より上部で漏水等が発生したり、通水管５の外周面に水が付着した場合、水は通水管５を伝って降下するが、水は第２パッキン４１の上部で溜まって死水となったり、第２パッキン４１の上面から通水管５と第２パッキン４１との隙間、または第２パッキン４１とナット５１との隙間から内部へ浸入することがなく、第２パッキン４１から外周方向へ流れる。そして、水はナット５１の外周面を伝って床パン２の上面へ流れ落ちるが、止め具２１の軸部２１ａは床パン２と取付部材１１の大径部１３との間で第１パッキン３１により覆われているため止め具２１に接触することがなく、床パン２の下部への漏水を防止することができる。
【図面の簡単な説明】
【００２０】
【図１】本発明における貫通金具が装着されたユニットバスの説明図である。
【図２】本発明における貫通金具の縦断面図である。
【図３】本発明における貫通金具の分解斜視図である。
【符号の説明】
【００２１】
１    ：ユニットバス
２    ：床パン
２ａ  ：貫通孔
５    ：通水管
１０  ：貫通金具
１１  ：取付部材
１２  ：小径部
１３  ：大径部
１７  ：通孔
１８  ：挿通孔
２１  ：止め具
３１  ：第１パッキン
３２  ：小孔
４１  ：第２パッキン
５１  ：ナット
【図１】
2006144289.tif 000003
【図２】
2006144289.tif 000004
【図３】
2006144289.tif 000005